(57)【特許請求の範囲】
【請求項１】
本体の上面にトッププレートを配し、このトッププレートに運転状態等を表示する表示部を配し、本体の内部にトッププレート上に載置される負荷を加熱する加熱装置と、この加熱装置を冷却する冷却ファンを配し、本体に冷却ファンの吸気口と排気口とを備えた加熱調理器において、前記表示部の下方に液晶表示装置を配し、この液晶表示装置を前記吸気口と排気口との間の冷却風路内に配し、液晶表示装置の上部周囲とトッププレートの下面との隙間を表示パッキンでシールし、本体の内部に表示パッキンを上方に付勢する弾性体を配し、さらに、前記表示パッキンのトッププレートの下面との接触面の全周にわたって斜め外向きに傾斜するフランジを設けたことを特徴とする加熱調理器。
【発明の詳細な説明】
【０００１】
【発明の属する技術分野】
本発明は、キッチンの調理台に組み込まれたり、ガス台、あるいは調理台の上に設置される方式の加熱調理器の改良に関するものである。
【０００２】
【従来の技術】
従来の加熱調理器においては、運転状態、運転時の設定内容あるいはトラブルの状態等を表示する表示部は、本体の前面に配置された垂直な操作パネル部、もしくは本体の上面に配置されたトッププレート部に配置されている。また、表示素子は、ＬＥＤ表示装置あるいは液晶表示装置が一般的である。
【０００３】
ＬＥＤ表示装置を使用した例として、特開平１１−２４１２号公報があり、液晶表示装置を使用した例として、特開平０７−０９４２６７号公報などがある。
【０００４】
ＬＥＤ表示装置をトッププレート部に使用した特開平１１−２４１２号公報の例を、図５を用いて説明する。図５は、この従来の一実施例の平面図である。
【０００５】
トッププレート３には、手前側の辺部に沿って、左から順に表示手段としての左表示部２５、右表示部２６、および中表示部２７などが設けられている。これら表示部２５〜２７は、各加熱部すなわち加熱装置１９、２０、および２１に対応して設けられ、火力などを表示するようになっている。そして表示部２５〜２７は複数のＬＥＤ素子で構成され、例えば点灯するＬＥＤ素子の数を変化させて出力の段階に対応した表示をするようになっている。従って、加熱部の数や加熱部の出力の段階の数等が多い場合には、ＬＥＤ素子の数も多く必要である。
【０００６】
特開平０７−０９４２６７号公報の例は、液晶表示装置を使用しているが、商品化された製品では液晶表示装置の位置はトッププレート部ではなく、本体の前面に配置された垂直な操作パネル部である。
【０００７】
運転状態等を表示する表示部の配置としては、本体の前面に配置された垂直な操作パネル部より、本体の上面に配置されたトッププレート部に設けられている方が、本体直前に立って調理を行う使用者にとって、見易いという長所を持っている。
【０００８】
また、液晶表示装置は、文字、図形等の表示が可能であり、ＬＥＤ表示装置が多数のＬＥＤ素子を必要とするのに対し一個乃至数個の液晶素子で構成できるため、ＬＥＤ表示装置より表示素子として優れている。
【０００９】
つまり、運転状態等を表示する表示部は、配置をトッププレート部とし、表示素子を液晶表示装置とすることが優れているが、これを実現しようとすると、液晶表示装置と加熱装置との距離が近くなる。
【００１０】
このため、単に表示部をトッププレート部にすると、加熱装置の発熱の影響等を大きく受けて高温の雰囲気となる。
【００１１】
ところが、液晶表示装置はその定格温度が高くないため、高温の雰囲気では短寿命、低信頼性となる等の問題が生じ、使用が困難でトッププレートの表示部への配置が実現されていない。
【００１２】
【発明が解決しようとする課題】
前述したように、従来の加熱調理器において、トッププレート部に液晶表示装置を配置した表示部を実現しようとすると、液晶表示装置は、近接した加熱装置の発熱の影響を大きく受けて、高温の雰囲気となる。
【００１３】
この問題を解決するには、まず、液晶表示装置の雰囲気を低い温度に保つことである。液晶表示装置の雰囲気を低い温度に保つためには、これに冷却風を当てて冷却する必要がある。
【００１４】
しかし、製品が置かれる場所は厨房であり、また、加熱調理している食材から油煙等が発生するので、埃や油煙等が冷却風に含まれ、これらが液晶表示装置に吹き付けられ、その表示面に付着すると、表示内容が見えにくくなるという問題が生ずる。液晶表示装置の表示面の清掃が簡単であればよいが、液晶表示装置はトッププレートの下側にあるので、これを清掃するには製品を分解しなければならず、使用者が製品を分解することは困難なため、埃や油煙等が液晶表示装置の表示面に付着することは非常に問題である。
【００１５】
本発明は、前記不具合を解決するものであり、近接した加熱装置の発熱の影響等を低減して、液晶表示装置の雰囲気を低い温度に保ち、同時に、冷却風に含まれる埃や油煙等が液晶表示装置の表示面に付着しないものとし、液晶表示装置をトッププレートの表示部に配置した加熱調理器を実現することを目的とするものである。
【００１６】
【課題を解決するための手段】
本発明は上述の課題を解決するために、本体の上面にトッププレートを配し、このトッププレートに運転状態等を表示する表示部を配し、本体の内部にトッププレート上に載置される負荷を加熱する加熱装置と、この加熱装置を冷却する冷却ファンを配し、本体に冷却ファンの吸気口と排気口とを備えた加熱調理器において、前記表示部の下方に液晶表示装置を配し、この液晶表示装置を前記吸気口と排気口との間の冷却風路内に配し、液晶表示装置の上部周囲とトッププレートの下面との隙間を表示パッキンでシールし、本体の内部に表示パッキンを上方に付勢する弾性体を配し、さらに、前記表示パッキンのトッププレートの下面との接触面の全周にわたって斜め外向きに傾斜するフランジを設けたものである。
【００１７】
【発明の実施の形態】
本発明は、前述のように、本体の上面にトッププレートを配し、このトッププレートに運転状態等を表示する表示部を配した加熱調理器において、前記表示部の下方に液晶表示装置を配し、この液晶表示装置を吸気口と排気口との間の冷却風路内に配し、液晶表示装置の上部周囲とトッププレートの下面との隙間を表示パッキンでシールし、本体の内部に表示パッキンを上方に付勢する弾性体を配したものである。
【００１８】
これにより、加熱装置の発熱の影響等によって液晶表示装置の雰囲気の温度が上昇しようとしても、冷却ファンを駆動し、この冷却風により液晶表示装置を冷却するので、液晶表示装置の雰囲気が常に低い温度に保たれる。
【００１９】
また、同時に、表示パッキン等により液晶表示装置の表示面を冷却風から遮断したので、冷却風が液晶表示装置の表示面に吹き付けられて埃や油煙等が付着することがなく、表示内容が見えにくくなることがない。
【００２０】
よって、液晶表示装置をトッププレートの表示部に配置した加熱調理器を実現できるものである。
【００２１】
さらに、前記表示パッキンのトッププレート下面との接触面の全周にわたって斜め外向きに傾斜するフランジを設けることにより、表示パッキンとトッププレートの下面との密着度をさらに確実にすることができる。
【００２２】
【実施例】
以下、本発明の一実施例を図面に従って説明する。
【００２３】
図１は本発明の一実施例の外観図、図２は本発明の一実施例の内部平面図、図３は本発明の一実施例の液晶表示装置周辺を示す断面図、図４は本発明の一実施例の液晶表示装置周辺の要部を示す断面図である。
【００２４】
図において、１は加熱調理器の本体である。２は箱体部で、本体１を仕切りで上下二つに分離した上の部分であり、後記加熱装置１９、２０、２１、後記液晶表示装置１６および後記冷却ファン１８などが配される。
【００２５】
３はトッププレートで、本体１の上面に配され、表示部４を有し、耐熱ガラス等で構成されて、負荷である鉄製の鍋等（図示せず）を載置するものである。
【００２６】
４は表示部で、トッププレート３の前面側に配され、運転状態等を表示する。本例では、この下方に配された後記液晶表示装置１６等が表示する表示内容を上方から見えるようにトッププレート３の一部を透明にした部分で、三つの部分があり、左手前部、右手前部および中央後部はそれぞれ後記加熱装置１９、２０および２１に対応している。
【００２７】
５、６および７（円形の破線）は左加熱装置位置、右加熱装置位置および中加熱装置位置で、それぞれトッププレート３下方の左側、右側および中央後側に配置される後記加熱装置１９、２０および２１の位置を示したものである。
【００２８】
８は魚焼きグリル部で、本体１の左側下部に配置され、魚等を焼くものである。９は操作パネル部で、本体１の前面垂直面部に配置され、全体の回路の電源を入り切りするメインスイッチ、後記加熱装置１９、２０、２１用操作部、及び魚焼きグリル部８の操作用スイッチ等で構成される。
【００２９】
１０は吸気口で、本体１の前面、本例では箱体部２の前面に備えられ、箱体部２内部および本体１内部に冷却用外気を吸引する後記冷却ファン１８用の吸気部分である。
【００３０】
１１は排気口で、本体１の後面、本例では箱体部２の後面に配され、箱体部２および本体１の内部を冷却した廃熱（熱気）を排出する後記冷却ファン１８用の排気部分である。
【００３１】
１２は隔壁で、一部に開口部１３を有し、箱体部２の内部に配して、箱体部２内部を第一室１４と第二室１５の二つに分割する。本例では、開口部１３は４箇所である。第一室１４は液晶表示装置１６が配された側とし、第二室１５は後記加熱装置１９が配された側とする。
【００３２】
１６は液晶表示装置で、表示部４の下方に配され、運転状態等を表示する表示素子である。また、液晶表示装置１６は吸気口１０と排気口１１との間の冷却風路内に配される。詳しくは、箱体部２の第一室１４の内部で、吸気口１０と後記冷却ファン１８との間に配されている。
【００３３】
１７はＬＥＤ表示装置で、表示部４の下方で箱体部２の第一室１４の内部に配され、後記加熱装置２１の状態を表示する。
【００３４】
１８は冷却ファンで、本体１の内部に配され、後記加熱装置１９、２０、２１、および液晶表示装置１６等を冷却する。本例では、四つ有り、箱体部２の第一室１４内の隔壁１２の開口部１３に配され、吸気口１０から外気を吸い込み、箱体部２の第二室１５に冷却風を送風する。
【００３５】
１９、２０、および２１は加熱装置で、本体１の内部に配され、トッププレート３上に載置される負荷（図示せず）を加熱するものである。本例では、１９および２０は誘導加熱方式で加熱するインダクションヒータで、トッププレート３の左加熱装置位置５および右加熱装置位置６の直下に配されている。
【００３６】
２１はニクロムヒータ線加熱式で加熱する円形ヒータで、中加熱装置位置７の直下に配されている。また、加熱装置１９、２０、および２１は箱体部２の第二室１５の内部に配され、かつ、開口部１３と排気口１１との間の冷却風路内に配される。
【００３７】
２２は表示支持部で、液晶表示装置１６を支持するものであり、トッププレート３の下方に配され、次の四つの部分から構成されている。
【００３８】
２２−１は表示ホルダーで、液晶表示装置１６を直接支持し、後記表示パッキン２３の支持も兼ねている。２２−２は表示キバンで、表示ホルダー２２−１を搭載し、液晶表示装置１６関連の電子部品等も搭載している。
【００３９】
２２−３は樹脂製の表示キバンホルダーで、可撓性を有し、一方の端部近傍が箱体２にネジで固定され、表示キバン２２−２を支持している。２２−４はボスで、表示キバンホルダー２２−３の下部の一部を円錐状の円筒とし、下方に突出した部分である。
【００４０】
２３は表示パッキンで、液晶表示装置１６の周囲を囲う中空形状であり、液晶表示装置１６の周囲および表示支持部２２の上部周囲に密着し、かつ上部全周がトッププレート３の下面に接触するように配されて、液晶表示装置１６の上部周囲とトッププレート３の下面との隙間をシールしている。この表示パッキン２３は、トッププレート３の上方から透明な表示部４を通して見えるように、液晶表示装置１６の表示部を覆うことがないよう中空形状としている。
【００４１】
そして、この表示パッキン２３と、トッププレート３の下面と、液晶表示装置１６および表示支持部２２とで密封された空間を構成する。尚、本例においては、表示パッキン２３は液晶表示装置１６の周囲および表示支持部２２の上部周囲に密着させた構造としているが、液晶表示装置１６の周囲のみ、または表示支持部２２のみの上部周囲に密着させる構造も考えられる。
【００４２】
さらに、好ましくは、図４に示すように、表示パッキン２３の上部、すなわちトッププレート３の下面との接触面の全周にわたって斜め外向きに傾斜するフランジ２３ａを設けることにより、表示パッキン２３とトッププレート３の下面との密着度をさらに確実にすることができる。
【００４３】
これに加えて、下方から力が加わっても、その上部全周とトッププレート３との密着度が高まり、冷却風が表示パッキン２３の中空部に侵入して、液晶表示装置１６の表示面に埃や油煙等が付着することを防止する。
【００４４】
２４は弾性体で、具体的にはコイル状のスプリング等で形成され、本体１の内部に配され、表示パッキン２３を上方に付勢するものであり、ボス２２−４に嵌め込まれ、下端は箱体２に突き当てられ、圧縮されて組み立てられる。この弾性体２４は、板状、その他の形状のスプリング、あるいは直方体状のゴムなども考えられる。
【００４５】
前述したように、表示キバンホルダー２２−３は可撓性を有し、その一方の端部近傍がネジで固定されているので、ネジで固定された所が支点、ボス２２−４部が作用点となり、弾性体２４の伸張力によって、上方に撓められる。
【００４６】
表示キバンホルダー２２−３が上方に撓められると、表示キバン２２−２および表示ホルダー２２−１を介して表示パッキン２３が上方に押されるので、表示パッキン２３はその上部全周すなわちフランジ２３ａが外側に拡大しながらトッププレート３の下面に押し付けられ、より確実に密着する。
【００４７】
次に、本実施例の動作を説明する。
【００４８】
尚、図２における矢印は、冷却風の流れを示している。また、点線の矢印は、加熱装置１９、および２０の下側を流れる冷却風を示している。
【００４９】
負荷をトッププレート３上の左加熱装置位置５または右加熱装置位置６に載置し、操作パネル部９内のスイッチあるいはツマミを操作して設定および運転の開始操作を行うと、各操作時あるいは運転状態に応じた表示が液晶表示装置１６に表示され、トッププレート３上方から表示部４を通して表示内容を見ることができる。
【００５０】
一方、運転が開始されると、隔壁１２の４箇所の開口部１３に配された各冷却ファン１８が駆動回転され、吸気口１０から外気を吸い込む。このとき、液晶表示装置１６は吸気口１０と排気口１１との間の冷却風路内、詳しくは吸気口１０と開口部１３の一つ（左から２番目）との間の冷却風路内に配されているので、この開口部１３に配された冷却ファン１８の上流側のほぼ外気温の冷却風で冷却される。これにより、液晶表示装置１６の雰囲気の温度は速やかに低下し、高温となることがない。
【００５１】
液晶表示装置１６の表示面は、側方周囲を表示パッキン２３で、上方をトッププレート３の下面で、下方は液晶表示装置１６および表示支持部２２で囲われ、周囲から遮断されているので、液晶表示装置１６に吹き付けられた冷却風は、表示面には当たることがなく、埃や油煙等が付着しない。
【００５２】
さらに、表示パッキン２３のトッププレート３の下面との接触面の全周にわたって斜め外向きに傾斜するフランジ２３ａを設けることにより、下方からの弾性体２４の作用と相俟って、表示パッキン２３とトッププレート３の下面との密着度をさらに確実にすることができる。かつ、フランジ２３ａが斜め外向きに傾斜しているので、冷却風が吹き付けても、フランジ２３ａとトッププレート３の下面との隙間は狭まることがあっても広がることがない。
【００５３】
尚、表示支持部２２と弾性体２４の他の構成例として、弾性体２４の両端を引掛け部を有するものとし、その一端を表示キバンホルダー２２−３より上方の本体１に取り付け、他端を表示キバンホルダー２２−３に取り付けて、表示キバンホルダー２２−３を上方に引っ張る構成等も考えられる。
【００５４】
【発明の効果】
以上述べたように、本発明の加熱調理器は、本体の上面にトッププレートを配し、このトッププレートに運転状態等を表示する表示部を配した加熱調理器において、前記表示部の下方に液晶表示装置を配し、この液晶表示装置を吸気口と排気口との間の冷却風路内に配し、液晶表示装置の上部周囲とトッププレートの下面との隙間を表示パッキンでシールし、本体の内部に表示パッキンを上方に付勢する弾性体を配したものである。
【００５５】
これにより、液晶表示装置と加熱装置とが近接し、この加熱装置の発熱の影響等によって液晶表示装置の雰囲気の温度が上昇しようとしても、冷却ファンを駆動し、この冷却風により液晶表示装置を冷却するので、液晶表示装置の雰囲気が常に低い温度に保たれる。
【００５６】
また、同時に、表示パッキン、表示支持部および弾性体等により、液晶表示装置の表示面を確実に冷却風から遮断したので、冷却風が液晶表示装置の表示面に吹き付けられて埃や油煙等が付着することがなく、表示内容が見えにくくなることがない。
【００５７】
よって、液晶表示装置をトッププレートの表示部に配置した加熱調理器を実現できるものである。
【００５８】
同時に、表示支持部等を介して表示パッキンを上方に付勢する弾性体を配したので、各構成部品の寸法バラツキによりトッププレートの下面と表示パッキンとの間に隙間が生ずる恐れが解消される。このため、液晶表示装置の表示面に埃や油煙等が付着した場合の分解清掃が不要となる効果も得られる。
【００５９】
さらに加えて、前記表示パッキンのトッププレートの下面との接触面の全周にわたって斜め外向きに傾斜するフランジを設けることにより、下方から弾性体の作用と相俟って、表示パッキンとトッププレートの下面との密着度をさらに確実にすることができる。かつ、フランジが斜め外向きに傾斜しているので、冷却風が吹き付けても、フランジとトッププレートの下面との隙間は狭まることがあっても広がることがない。従って、液晶表示装置の表示面は、より確実に冷却風から遮断され、埃や油煙等が付着することがない。
【図面の簡単な説明】
【図１】本発明の一実施例の外観図である。
【図２】本発明の一実施例の内部平面図である。
【図３】本発明の一実施例の冷却構造を示す断面図である。
【図４】本発明の一実施例の液晶表示装置周辺の要部を示す断面図である。
【図５】従来の一実施例の平面図である。
【符号の説明】
１  本体
３  トッププレート
４  表示部
１０  吸気口
１１  排気口
１６  液晶表示装置
１８  冷却ファン
１９  加熱装置（左）
２０  加熱装置（右）
２１  加熱装置（中）
２２  表示支持部
２２−１  表示ホルダー
２２−２  表示キバン
２２−３  表示キバンホルダー
２２−４  ボス
２３  表示パッキン
２３ａ  フランジ
２４  弾性体
【図１】
0003914723.tif 000002
【図２】
0003914723.tif 000003
【図３】
0003914723.tif 000004
【図４】
0003914723.tif 000005
【図５】
0003914723.tif 000006